(57)【要約】【課題】利用者の入退室を管理する入退室管理装置を用いて、居室内の温度を正確に計測する。【解決手段】温度計測システム１０は、利用者が所持する記憶媒体１８に記憶された記憶媒体情報に基づいて利用者の入退室を管理する入退室管理部２２と、記憶媒体１８の画像情報に基づいて温度を取得する温度取得部２４と、入退室管理部２２と温度取得部２４との情報に基づいて居室１２の温度を計測する温度計測部２６とを有する。利用者が持ち歩く記憶媒体１８には温度センサである感温部材２４が設けられている。温度計測システム１０は、この感温部材２４の情報と記憶媒体情報とが記憶媒体情報読取部２０を介して、温度計測部２６に送られることで、居室１２の利用者の執務エリアの温度を計測する。【選択図】図１
2010286123.tif 000002
【特許請求の範囲】
【請求項１】
利用者が所持し、この利用者の個人情報が記憶された記憶媒体であって、温度に基づいて色が変化する感温部材が表面に設けられた記憶媒体と、
居室の外側と内側にそれぞれ設置され、記憶媒体に記憶された記憶媒体情報を読み取るとともに、記憶媒体を撮影して感温部材の画像情報を読み取る記憶媒体情報読取部と、
記憶媒体情報読取部が読み取った記憶媒体情報に基づいて利用者の入退室を管理する入退室管理部と、
記憶媒体情報読取部が読み取った感温部材の画像情報に基づいて感温部材が示す温度を取得する温度取得部と、
入退室管理部の利用者情報と温度取得部の温度情報とに基づいて所定の場所の温度を計測する温度計測部と、
を有することを特徴とする温度計測システム。
【請求項２】
請求項１に記載の温度計測システムにおいて、
入退室管理部の利用者情報は、居室内で利用者が執務を行う執務エリア情報を含み、
温度計測部は、退室する利用者の執務エリア情報と、退室時に取得される温度情報とに基づいて、その利用者の執務エリアの温度を計測する、
ことを特徴とする温度計測システム。
【請求項３】
請求項２に記載の温度計測システムにおいて、
温度計測部は、退室する利用者が複数いる場合、それらの利用者の各執務エリア情報と、退室時に取得される各温度情報とに基づいて、居室内の温度分布を計測する、
ことを特徴とする温度計測システム。
【請求項４】
請求項１から３のいずれか１つに記載の温度計測システムにおいて、
温度計測部は、入室時に取得される温度情報に基づいて、居室外の温度を計測する、
ことを特徴とする温度計測システム。
【請求項５】
請求項１から４のいずれか１つに記載の温度計測システムにおいて、
さらに、温度計測部により計測された温度に基づいて、居室内の冷暖房を行う空調機を制御する空調機制御部を有する、
ことを特徴とする温度計測システム。
【請求項６】
請求項１から５のいずれか１つに記載の温度計測システムにおいて、
感温部材はサーモテープであることを特徴とする温度計測システム。
【発明の詳細な説明】
【技術分野】
【０００１】
本発明は、居室の温度を計測する温度計測システムに関する。
【背景技術】
【０００２】
空調機は、居室の温度が設定温度になるように、居室の冷房または暖房を行う装置であり、この空調機には、居室の温度を計測する温度センサが接続されている。温度センサは、空調機本体に設置される場合、または例えば空調機用リモコンと一体に居室の壁面に設置される場合などがある。
【０００３】
下記特許文献１には、居室の入退室に使用するカードリーダとは別に、空調機用リモコンに対応するカードリーダを有し、このカードリーダが、空調機の運転操作の権限を持った管理人のＩＤカードの情報を読み取った場合のみ空調機用リモコンの操作を許可する入退室管理システムが記載されている。
【０００４】
下記特許文献２には、ＩＤカードにより利用者の入室の有無を判断し、利用者が部屋にいる場合には、空調装置により部屋を最適に制御し、利用者が部屋にいない場合には、空調装置を停止させる空調制御装置が記載されている。
【先行技術文献】
【特許文献】
【０００５】
【特許文献１】特開２００５−１４０４２２号公報
【特許文献２】特公平２−５６５７２号公報
【発明の概要】
【発明が解決しようとする課題】
【０００６】
上述した従来の温度センサは、空調機本体または居室の壁面に設置され、そこで計測された温度が居室の温度として空調機の制御に用いられる。しかしながら、居室が、大きな床面積である、パーティションで仕切られている、またはペリメータゾーンを有する場合などにおいては、通常、居室内に温度ムラが生じているため、上述のように居室の代表ポイントでのみ計測された温度が居室の温度であると断定することはできない。つまり、従来の温度センサでは、居室の温度を正確に計測することができないという問題がある。
【０００７】
また、居室の温度を正確に計測することができない温度センサの計測結果に基づいて動作する空調機では、居室全体を快適な温度環境にすることができない。居室の温度を正確に計測するために、温度センサの設置数を増加させて、居室内の温度分布を計測する方法が考えられる。しかしながら、壁や柱等がない大空間の居室においては温度センサの設置場所が限られてしまい、居室内の温度分布を正確に計測することができない。また、仮に、居室内のあらゆる箇所に複数の温度センサを設置することができたとしても、温度センサと、これと空調機または空調機の制御部とを接続する配線とが増大するので、居室内の意匠的な見栄えが悪くなり、しかもコストが大幅に増加してしまうという問題がある。
【０００８】
本発明の目的は、利用者の入退室を管理する入退室管理装置を用いて、居室内に温度センサを設置することなく、居室内の温度を正確に計測することができる温度計測システムを提供することある。
【課題を解決するための手段】
【０００９】
本発明は、利用者が所持し、この利用者の個人情報が記憶された記憶媒体であって、温度に基づいて色が変化する感温部材が表面に設けられた記憶媒体と、居室の外側と内側にそれぞれ設置され、記憶媒体に記憶された記憶媒体情報を読み取るとともに、記憶媒体を撮影して感温部材の画像情報を読み取る記憶媒体情報読取部と、記憶媒体情報読取部が読み取った記憶媒体情報に基づいて利用者の入退室を管理する入退室管理部と、記憶媒体情報読取部が読み取った感温部材の画像情報に基づいて感温部材が示す温度を取得する温度取得部と、入退室管理部の利用者情報と温度取得部の温度情報とに基づいて所定の場所の温度を計測する温度計測部と、を有することを特徴とする。
【００１０】
また、入退室管理部の利用者情報は、居室内で利用者が執務を行う執務エリア情報を含み、温度計測部は、退室する利用者の執務エリア情報と、退室時に取得される温度情報とに基づいて、その利用者の執務エリアの温度を計測することができる。
【００１１】
また、温度計測部は、退室する利用者が複数いる場合、それらの利用者の各執務エリア情報と、退室時に取得される各温度情報とに基づいて、居室内の温度分布を計測することができる。
【００１２】
また、温度計測部は、入室時に取得される温度情報に基づいて、居室外の温度を計測することができる。
【００１３】
また、温度計測部により計測された温度に基づいて、居室内の冷暖房を行う空調機を制御する空調機制御部を有することができる。
【００１４】
さらに、感温部材はサーモテープであることが好適である。
【発明の効果】
【００１５】
本発明の温度計測システムによれば、利用者の入退室を管理する入退室管理装置を用いて、居室内に温度センサを設置することなく、居室内の温度を正確に計測することができる。
【図面の簡単な説明】
【００１６】
【図１】本実施形態における温度計測システムの構成を示す図である。
【発明を実施するための形態】
【００１７】
以下、本発明に係る温度計測システムの実施形態について、図１を用いて説明する。一例として、一つの居室を挙げ、この居室の温度を計測する温度計測システムについて説明する。なお、本発明は、この態様に限らず、建物全体、または建物内の複数の居室を対象にする温度計測システムにも適用することができる。
【００１８】
図１は、本実施形態の温度計測システム１０の構成を示す図である。本実施形態の温度計測システム１０は、居室１２の内側および居室１２の外側の温度を計測するシステムである。
【００１９】
居室１２は、利用者が利用する部屋であり、例えばオフィスビルなどの建物の執務スペースや会議室である。居室１２には、この居室１２の冷房および暖房を行う空調機１４が設けられている。また、居室１２には、利用者の出入り口の扉であって、電気錠（図示せず）を有する扉１６が設けられている。
【００２０】
空調機１４は、ファン、コイル及び加湿器（図示せず）を内蔵している。コイルで冷却または加熱された空気をファンが居室１２内に送り出すことにより、空調機１４は居室１２の冷房または暖房を行う。空調機１４には、空調機１４を操作するリモコン（図示せず）が接続されている。リモコンは、空調機１４の運転及び停止、居室１２内の設定温度の調整、風向き及び風速の調整などを行うことができる。なお、居室１２を対象にする空調機１４の台数が一台に限らず複数台とすることができる。また、本実施形態では、空調機１４がリモコンにより操作される場合について説明したが、この構成に限定されず、複数台の空調機を操作可能な集中コントローラにより操作されてもよい。
【００２１】
温度計測システム１０は、利用者が所持する記憶媒体１８と、この記憶媒体に記憶された記憶媒体情報を読み取る記憶媒体情報読取部２０と、記憶媒体情報読取部２０が読み取った記憶媒体情報に基づいて利用者の入退室を管理する入退室管理部２２とを有する。入退室管理部２２は、記憶媒体情報読取部２０と電気錠とにそれぞれ接続されている。
【００２２】
記憶媒体１８は、記憶媒体情報を埋め込んだＲＦＩＤ（radio frequency identification）タグ（以下、ＩＤタグという）を有するカードや携帯端末のことである。記憶媒体情報は、個人情報であり、記憶媒体を所持する利用者本人であることを識別するためのＩＤ情報であり、例えば複数の文字を含むＩＤ番号や図形からなる情報である。
【００２３】
また、本実施形態における記憶媒体１８は、温度に基づいて変化する感温部材２４が表面に設けられている。感温部材２４は、例えばサーモテープであり、記憶媒体１８の表面に粘着される。感温部材２４は、雰囲気温度の上昇に伴い、例えば黒→茶→赤茶→緑→青→濃紺の順に色が変化し、温度を視覚的に認識することができる。なお、感温部材２４はサーモテープに限らず、色の変化とともに数字が表示されるデジタルサーモテープであってもよい。
【００２４】
記憶媒体情報読取部２０は、扉１６の付近であって、居室１２の外側、例えば共用部と、居室１２の内側とにそれぞれ設置される。記憶媒体情報読取部２０は、記憶媒体１８のＩＤタグに対して非接触で記憶媒体情報を読み取り、その情報を入退室管理部２２に送信する。
【００２５】
また、本実施形態における記憶媒体情報読取部２０は、これの周辺を撮影する撮影手段、例えばカメラ（図示せず）を有する。このカメラは、記憶媒体１８の記憶媒体情報を読み取るときに、記憶媒体１８を撮影し、記憶媒体情報読取部２０は、撮影された記憶媒体１８の表面に設けられる感温部材１８の画像情報を読み取る。そして、記憶媒体情報読取部２０は、その画像情報を後述する温度取得部２４に送信する。
【００２６】
入退室管理部２２は、利用者情報を記憶している。利用者情報は、ＩＤ番号と、これに対応する入退室許可居室番号と、居室において利用者が執務を行う執務エリア情報を含む。入退室許可居室番号とは、入退室が許可される居室に番号を付したものである。執務エリア情報とは、利用者が使用する机３０を含む周辺のエリア情報である。具体的には、図１に示されるように、居室１２に配置される複数の机３０には、横方向に並んだ要素である行（Ａ−Ｆ）と縦方向に並んだ要素である列（１−４）により位置情報がそれぞれ割り当てられている。この位置情報に、机３０を使用する利用者を対応させたものが執務エリア情報となる。なお、図１に示される執務エリア情報は一例であって、周知の机の配置にも適用でき、その配置された机に対して、適宜、番号を割り当てることができる。また、執務エリア情報は、利用者が執務を行うエリアを特定することができるのであれば、机の位置情報に、机を使用する利用者を対応させたもの限らず、パソコンの位置情報に、パソコンを使用する利用者を対応させたものとすることもできる。また、執務エリア情報は、居室に配置された監視カメラが撮影した画像情報に基づいて利用者の執務エリアを特定してもよい。
【００２７】
入退室管理部２２は、記憶媒体情報読取部２０が読み取った記憶媒体情報と、入退室管理部２２に記憶された個人情報とを照合して、利用者の入退室を管理する。以下、利用者が入室するときと、利用者が退室するときとに分けて具体的に説明する。
【００２８】
利用者が入室するとき、入退室管理部２２は、居室１２の外側の記憶媒体情報読取部２０から記憶媒体情報である例えばＩＤ番号を受信する。そして、入退室管理部２２は、記憶媒体情報読取部２０からのＩＤ番号と、入退室管理部２２自体が記憶するＩＤ番号とを照合し、一致したＩＤ番号に対応する入退室許可番号に基づいて入室の確認を行う。居室１２の入退室許可番号がある場合、入退室管理部２２は、利用者の入室を確認するとともに、扉１６の電気錠に解錠指令を送信する。さらに、入退室管理部２２は、利用者の入室が許可された情報を後述する温度計測部２６に送信する。このとき、記憶媒体情報読取部２０が、利用者の入室が許可された旨を音声またはランプ等の表示により報知してもよい。一方、ＩＤ番号が一致しない場合、または居室１２の入退室許可番号がない場合、入退室管理部２２は、利用者の入室を許可せず、扉１６の電気錠は施錠状態のままとなる。このとき、記憶媒体情報読取部２０が、利用者の入室が許可されない旨を音声またはランプ等の表示により報知してもよい。
【００２９】
一方、利用者が退室するとき、入退室管理部２２は、居室１２の内側の記憶媒体情報読取部２０からＩＤ番号を受信する。そして、入退室管理部２２は、記憶媒体情報読取部２０からのＩＤ番号と、記憶部からのＩＤ番号を照合し、それらが一致することにより退室の確認を行う。ＩＤ番号が一致した場合、入退室管理部２２は、利用者の退室を確認するとともに、扉１８の電気錠に解錠指令を送信する。さらに、入退室管理部２２は、利用者の退室が許可された情報と併せてその利用者の執務エリア情報を後述する温度計測部２６に送信する。このとき、記憶媒体情報読取部２０が、利用者の退室が許可された旨を音声またはランプ等の表示により報知してもよい。
【００３０】
また、温度計測システム１０は、記憶媒体情報読取部２０が読み取った感温部材２４の画像情報に基づいて感温部材２４が示す温度を取得する温度取得部２４と、入退室管理部２２の利用者情報と温度取得部２４の温度情報に基づいて所定の場所の温度を計測する温度計測部２６とを有する。
【００３１】
温度取得部２４は、感温部材２４が表示する色と、温度とを対応づけたテーブルを記憶している。温度取得部２４は、記憶媒体情報読取部２０に接続されている。温度取得部２４は、記憶媒体情報読取部２０が読み取った感温部材２４の画像情報を処理してその画像の色を認識し、認識した色に対応する温度をテーブルから選定して取得する。そして、温度取得部２４は、取得した温度の情報を温度計測部２６に送信する。なお、温度取得部２４は、感温部材２４がデジタルサーモテープである場合、感温部材２４の画像情報を処理してその画像の形状（数字）を認識し、認識した形状から温度を取得することもできる。
【００３２】
温度計測部２６は、退室する利用者の執務エリア情報と、退室時に温度取得部２４により取得される温度情報とに基づいて、その利用者の執務エリアの温度を計測する。一例として、図１に示される、位置情報がＥ−４である机３０を使用する利用者が退室する場合について具体的に説明する。
【００３３】
利用者が退室するとき、その利用者が所持する記憶媒体１８を記憶媒体情報読取部２０にかざすと、入退室管理部２２により退室が確認される。このとき、温度計測部２６は、利用者の執務エリア情報、すなわち机３０の位置情報（Ｅ−４）を入退室管理部２２から受信する。また、利用者が所持する記憶媒体１８を記憶媒体情報読取部２０にかざすと、記憶媒体情報読取部２０が読み取った感温部材２４の画像情報に基づいて温度取得部２４が感温部材２４の温度を取得し、温度計測部２６は、その取得された温度情報を温度取得部２４から受信する。これらの受信した情報により、温度計測部２６は、退室する利用者の執務エリアの温度を計測することができる。本実施形態においては、退室する利用者は自己の執務エリア（Ｅ−８）から扉１６まで直接向かい、その移動時間は非常に短いものであるため、感温部材２４が示す温度はその執務エリア（Ｅ−８）の温度であるとみなすことができる。
【００３４】
上述したように、温度計測部２６は、退室する利用者の執務エリアの温度を計測することができる。したがって、退室する利用者が複数いる場合、温度計測部２６は、それらの利用者の各執務エリア情報と、退室時に取得される各温度情報とに基づいて、居室１２内の温度分布を計測することができる。
【００３５】
本実施形態の温度計測システム１０によれば、居室１２に対して入退室する利用者が、温度センサである感温部材２４を有する記憶媒体１８を持ち歩いているので、居室１２に温度センサを配置することなく、居室１２の各利用者の執務エリアの温度を計測することができる。したがって、居室１２が、大きな床面積である、パーティションで仕切られている、またはペリメータゾーンを有する空間であり、居室１２に温度ムラが生じる場合であっても、居室１２全体の温度、すなわち温度分布を正確に計測することができるとともに、視覚的に把握することができる。さらに、このような温度計測の結果をもとに、居室１２内の温度環境の不具合を容易に把握することができるので、その不具合を容易に改善することができ、省エネ対策を容易に立案することもできる。
【００３６】
本実施形態の温度計測システム１０によれば、居室１２に対して入退室する利用者が、温度センサである感温部材２４を有する記憶媒体１８を持ち歩いているので、居室１２内に温度センサと、これと空調機または空調機の制御部とを接続する配線とを設ける必要がなく、居室１２内の意匠的な見栄えが良くなるとともに、設置コストも削減することができる。
【００３７】
また、温度計測部２６は、入室時に取得される温度情報に基づいて、居室１２外の温度を計測することもできる。この機能を用いれば、建物の入口に記憶媒体情報読取部２０を設けることにより、利用者がその建物に入館する時に、温度計測部２６は、外気温度を計測することができる。さらに、一日を通じて建物に入館する利用者がいる場合、温度計測部２６は、日中の外気温度の変化を計測することができる。この温度計測の結果については、建物の空調設備（熱源設備も含む）の運用に役立てることができる。
【００３８】
さらに、温度計測システム１０は、温度計測部２６により計測された温度に基づいて、空調機１４を制御する空調機制御部２８を有する。空調機制御部２８は、温度計測部２６により計測された温度が設定温度になるように、空調機１４を制御する。温度計測部２６により計測された温度は、居室１２全体の温度であり、例えば複数の計測温度から得られる平均値である。
【符号の説明】
【００３９】
１０  温度計測システム、１２  居室、１４  空調機、１８  記憶媒体、２０  記憶媒体情報読取部、２２  入退室管理部、２４  温度取得部、２６  温度計測部、２８  空調機制御部。
【図１】
2010286123.tif 000003